(57)【特許請求の範囲】
【請求項１】
体液の少量サンプル内でタンパク分解酵素の異常活性あるいは欠損を検出するために、タンパク分解酵素の活性度あるいは濃度の進展を電気化学的に決定するシステムにおいて、
（Ａ）  電気化学センサー群（１０）と、
前記各電気化学センサーは、体液のタンパク分解酵素の異常活性あるいは欠損を表す信号を測定し、舌形状の支持部（１１）とマーキング（１９）とを有し、
前記マーキング（１９）は、特定酵素の決定に対応し、
前記舌形状の支持部（１１）は、基準電極（１５ａ）と、作動電極（１４ａ）と、前記体液を入れる測定領域（１７）と、前記測定領域（１７）内の体液を前記基準電極（１５ａ）と前記作動電極（１４ａ）に接触させるチャネル（１８ａ）とを有し、
前記作動電極（１４ａ）上に、所定のタンパク分解酵素に対する特定試薬（３４）が固定され、
前記特定試薬（３４）の組成は、化学基質を有し、
前記化学基質の各エンドリンクが、前記タンパク分解酵素により切断され、離脱基（ＬＧ）を解放し、
（Ｂ）  測定装置（２０）と、
前記測定装置は、前記電気化学センサーと同数の接続スロットを有し、前記接続スロットは前記電気化学センサーを収納し、
前記測定装置の電気回路は、エネルギー源によって電力が与えられ、前記電気化学センサーの基準電極（１５ａ）と作動電極（１４ａ）との間に配置され、前記離脱基（ＬＧ）の解放を表す電気信号を受領し、
（Ｃ）  電子装置と、
前記電子装置は、前記測定装置により送信された信号を処理するソフトウェアを有し、前記離脱基（ＬＧ）の解放を表す表示を、時間の関数としてスクリーンに表示する
を有し、
前記マーキング（１９）は、前記電気化学センサー（１０）の支持部の上面に隆起部分（１９ａ）を有し、
前記隆起部分（１９ａ）は、前記測定装置（２０）の接続スロット（２４）に形成されたノッチ（２９）に係合し、前記各接続スロット（２４）に対し１つの前記電気化学センサーの舌形状の支持部のみが挿入可能である
ことを特徴とする体液のタンパク分解酵素を差分決定するシステム。
【請求項２】
前記マーキング（１９）は、前記電気化学センサーの一方の端部に配置される
ことを特徴とする請求項１記載のシステム。
【請求項３】
前記測定領域（１７）は、キャップ（１８）を有し、
前記キャップ（１８）は、キャピラリーチューブが、体液を測定領域（１７）に運ぶことができるチャネル（１８ａ）を有する
ことを特徴とする請求項１又は２記載のシステム。
【請求項４】
前記体液のサンプル流量は、１０μｌ以下である
ことを特徴とする請求項１−３のいずれかに記載のシステム。
【請求項５】
前記測定装置（２０）の電気回路は、時間−電流測定を実行する
ことを特徴とする請求項１−４のいずれかに記載のシステム。
【請求項６】
前記電子装置のソフトウェアは、前記電気化学センサーを区別して、測定カーブを、順番にあるいはモザイク状に表示する
ことを特徴とする請求項１−５のいずれかに記載のシステム。
【請求項７】
前記測定装置（２０）は、
前記測定装置（２０）内に挿入された前記電気化学センサーを外部環境から切り離す閉鎖装置と、
前記電気化学センサーを、測定期間中、所定の温度に維持する温度調整装置と
を有する
ことを特徴とする請求項１−６のいずれかに記載のシステム。
【請求項８】
前記測定装置（２０）は、周囲温度を測定する熱プローブを有し、
前記電子装置のソフトウェアは、前記周囲温度の関数として基準カーブを選択することを特徴とする請求項１−６のいずれかに記載のシステム。
【請求項９】
前記測定装置は、第２表示スクリーンを有し、そこに測定中の瞬時のあるいは全体のパラメータを表示する
ことを特徴とする請求項１−８のいずれかに記載のシステム。
【請求項１０】
前記測定装置と電子装置とは、一体に構成される
ことを特徴とする請求項１−９のいずれかに記載のシステム。
【請求項１１】
前記体液は、全血であり、前記全血中の凝固因子の濃度の進展、プロトロンビン時間（prothrombin time（ＰＴ））、部分的に活性化されたトロンボプラスチン時間（activated partial thromboplastin time（ＡＰＰＴ）、あるいは凝固阻止成分の濃度の進展を測定して、欠陥あるいは過剰活性または異常活性を検出する
ことを特徴とする請求項１−１０のいずれかに記載のシステム。
【請求項１２】
前記特定試薬の組成は、少なくとも１個のオリゴペプチド基質を有し、
前記基質の端部リンクが、凝固因子により分離されて、離脱基（ＬＧ）とトロンボプラスチン（thromboplastin）とバッファ媒体を与える
ことを特徴とする請求項１１記載のシステム。
【発明の詳細な説明】
【技術分野】
【０００１】
本発明は、少量の体液サンプル中のタンパク分解酵素レベルの進展を、リアルタイムで、ダイナミック差分分析によって、差分決定するためのテストを実行するシステムに関する。このシステムにより、患者の病状が変化する傾向を予測できる。
【０００２】
本発明は、特に、内因性トロンビン潜在テスト（endogenous thrombin potential test（ＥＴＰ））を例に説明する。あるプラズマ（血漿）凝固因子の連続的測定により、異常レベルを検出し、適宜の治療によって、出血（haemophilia）のリスク、あるいは逆には血栓症（thrombosis）のリスクを減らす。
【０００３】
本発明は、実験室内のシステムに関するが、患者のベットの脇で測定が行えるようなシステムにも関する。
【背景技術】
【０００４】
血液凝固時間（プロトロンビン時間（Prothrombin time (PT））として定義される）すなわち様々なタンパク分解酵素の適正（血塊の形成に寄与する「因子」あるいは、それを阻止する「因子」として知られている）を見いだすことは、ルーチン検査の一部を形成し、さらに、さまざまな後発性の痛みを伴う術前術後の病状の日常検査の一部を形成する。例えば、心臓疾患に対する抗凝固治療（anticoagulant treatment）の間、抗血栓剤（例えばワルファリン（warfarin）あるいはヘパリン（heparin））の投与を調整し、これにより、抗血栓剤の投与が過剰の場合の血栓症のリスクを、あるいは逆に、抗凝固剤の投与が不十分の場合の出血のリスクを減らすことが必要である。
【０００５】
プロトロンビン時間（ＰＴ）、あるいは部分的に活性化したトロンボプラスチン間（partially activated thromboplastin time (APPT)）の決定は、実験室では、血塊を形成するのに必要な時間を、目で直接観測することにより行われ、その後、光学的な検出に通常依存するような複雑で取り扱いが面倒な装置の助けを借りて行われていた。このような装置は、特許文献１、２に開示されている。
【特許文献１】米国特許第５，３０２，３４８号明細書
【特許文献２】米国特許第５，１５４，０８２号明細書
【特許文献３】欧州特許第０，６７９，１９３号明細書
【特許文献４】欧州特許第１，０３１，８３０号明細書
【特許文献５】国際公開第０３／０９３８３１号明細書
【特許文献６】米国特許第５，３７８，６２８号明細書
【０００６】
最新の方法によれば、この方法は、少なくとも１個の化学反応剤（chemical reactant）を含む化学基質（chemical subtrate）を用い、この化学反応剤のエンドリンク（end link）は、特定の酵素により切断され、離脱基（Leaving Group:ＬＧ）を解放する。離脱基の存在は、測定媒体中で、酵素の活性度を表す信号で検出される。
【０００７】
この検出方法は、特許文献３に開示されている。ここに開示された方法においては、センサーは、化学基質を含み、その化学基質のエンドリンクは、解析中の酵素により切られて、離脱基を放出する。離脱基の濃度は、媒体中の酵素の活性度を表し、比色定量分析法（colorimetry）、ルミネセンス法（luminescence）、あるいはＸ線透視法（fluorescence）とその変形法に基づいた光学手段により測定できる。解析対象の体液が全血の場合には、赤血球を取り除かなければならない。これは、サンプルの事前の遠心分離、あるいはセンサー上で赤血球に対しバリアを形成する膜により、行われる。赤血球を除くためには、比較的長い貴重な解析時間を必要とする欠点がある。
【０００８】
前記の欠点は、特許文献４に提案された方法により、大幅に減らすか、あるいは取り除くことができる。この方法は、血液凝固測定時間に関し、タンパク分解酵素の活性度の間接的な決定に基づいており、これは、前記の酵素の活動を介して離脱基を解放することのできる化学基質手段により行われ、これにより、媒体の電気特性を変化させ、その結果得られた信号は、電流測定法により解析され、凝固時間を表すＰＴ値あるいはＡＰＴＴ値と関係付けられる。非比色定量分析方法により、きれいな血漿を得る事前ステップが省かれ、全血に対し、より短時間に実行できるようになる。
【０００９】
上記の全ての方法は、全体的な決定を実行することが可能となるが、凝固現象に関与する全ての酵素の中で、凝固異常の原因となる酵素を特定することができない。これは血友病（haemophilia）あるいは血栓症（thrombosis）であるかをを問わない。
【００１０】
最近まで、この種の情報を得るためには、血液サンプルを複数個のサンプルに分けて、どの酵素に欠陥があるのかを特定するために、さまざまな抗体と反応を起こす方法が用いられている。この方法は、比較的大量の血液サンプルを必要とし、時間もかかり、実験室でのみ実行可能である。
【００１１】
さらに近年、特許文献５は、血液サンプル中のトロンビンの活性度の進展をリアルタイムで決定できる方法を開示する。これは、好ましくは血漿サンプルで校正カーブと比較したＸ線測定法に基づいている。この方法は、全体的なプロトロンビン時間の決定には、前述した方法と同一の欠点があり、特に、大量のサンプル（約１６０μｌで、その内８０μｌは校正用に使用する）と、長い測定時間（約４５分）が必要である。
【発明の開示】
【発明が解決しようとする課題】
【００１２】
本発明の目的は、前述の従来技術の欠点を解決することである。本発明は、時間の関数としてタンパク分解酵素の進展を差分決定する方法であり、特に、全血のサンプルあるいは少量の血漿内の凝固現象に関与する酵素の活性度を、比較的短時間でスクリーニングする方法を提供する。
【課題を解決するための手段】
【００１３】
本発明は、少なくともタンパク分解酵素の活性度あるいは濃度の進展を電気化学的に決定するシステムに関し、これにより、酵素の欠陥あるいは少量のサンプルの体液（例えば血漿あるいは全血）異常活動を検出する。
【００１４】
本発明のシステムは、電気化学センサーと、測定装置と、電気信号処理装置とを有する。
【００１５】
各センサーは、舌形状をし、少なくとも１個の基準電極と、所定のタンパク分解酵素に対する特定試薬が固定される１個の作動電極とを有し、特定試薬の組成は、少なくとも１個の化学基質を有し、化学基質の各エンドリンクが前記タンパク分解酵素により切断され、離脱基（ＬＧ）を解放する。
【００１６】
前記測定装置は、前記センサーを収納する少なくとも１個の接続スロットを有し、前記測定装置の電気回路は、エネルギー源によって電力が与えられ、前記センサーの電極間に配置され、前記離脱基（ＬＧ）の解放を表す電気信号を受領する。
【００１７】
一実施例によれば、前記測定装置の電気回路は、時間−電流測定を実行する。
【００１８】
前記電子装置は、前記測定装置により送信された信号を処理するソフトウェアを有し、前記離脱基（ＬＧ）の解放を表す表示を、時間の関数としてスクリーンに表示する。データは、スクリーン上に、英数字の形態で、順に表示されるカーブの形態で、あるいはモザイクの形態で表示される。
【実施例】
【００１９】
図１に、本発明のシステムを、患者の血液を、好ましくは患者のベットの脇でスクリーニングする例にして説明する。本発明のシステムは、電気化学センサー群１０と、測定装置２０と、電子装置３０とを有する。これらの構成要素は、図では同一尺度では描いていない。
【００２０】
同図に示す実施例においては、電気化学センサー群１０は、３個のセンサー１０ａ、１０ｂ、１０ｃを有する。これらは、拡大して示してある。各センサーは、舌状をしており、４０ｍｍの長さ×８ｍｍの幅である。
【００２１】
センサー１０ａを特に参照すると、これは、例えばプロトロビン欠損（（prothrombin deficiency）いわゆる第ＩＩ因子とも称する）を検出する例を示す。センサー１０ａは、薄いプラスチック製支持部材１１を有する。このプラスチック製支持部材１１は、例えばＰＥＴ製であり、その全長に渡って２個の集電器１４、１５と、それらの間を絶縁分離する狭スペース１３とを具備する。
【００２２】
プラスチック製支持部材１１と集電器１４、１５は、絶縁性コーティング１２でカバーされる。この絶縁性コーティング１２には、開口１６、１７が、例えば打ち抜きで、端部に近い場所に形成され、集電器１４、１５の一部を見えるようにしている。第１開口１６は、センサー１０ａを測定装置２０に接続する。第２開口１７は、測定領域を形成する。集電器１４、１５の可視部分が、それぞれ作動電極１４ａと基準電極１５ａとを構成する。
【００２３】
作動電極１４ａは、例えば薄いプラチナ製のストリップを積層して形成される。基準電極１５ａは、薄い銀製のストリップを積層して形成される。この銀製のストリップは、前処理としてあるいは後処理として、塩素で処理される。測定領域にカウンター電極を具備することも可能である。作動電極１４ａは、特定試薬３４でコーティングされる。これに関しては以下詳述する。
【００２４】
同図に示したセンサーにおいては、開口１７は、透明キャップ１８でカバーされている。透明キャップ１８は、横方向の毛細管チャネル１８ａを形成して、解析すべき血液サンプルを、作動電極１４ａと基準電極１５ａに接触させる。
【００２５】
センサーの端部は、電気化学センサー群１０からのセンサーの特定のマーキング１９を有する。これにより、個々の測定装置２０を認識できる。センサー１０ａのマーキングは、センサーの軸に沿って配置された隆起部分１９ａで形成される。センサー１０ｂの隆起部分１９ｂは、右側にずれている。センサー１０ｃに対しては、測定装置２０内に配置された状態で示されているが、隆起部分１９ｃ（図示せず）は左側にずれている。他のタイプのマーキングも可能であり、例えばセンサーの端部の隆起部分１９ｂ（図１Ａに示す）あるいは逆に小さなノッチ（図示せず）も可能である。これらのマーキング手段の利点は、測定装置２０の記載により明らかとなる。
【００２６】
電気化学センサー群１０は、より多くの数のセンサーを有してもよい。好ましくは校正センサーを有することも可能である。
【００２７】
測定装置２０は、ケース２１を有する。このケース２１は、２個のモールドされたプラスチック製のシェル２１ａ、２１ｂにより構成される。底部シェル２１ｂは、上部シェル２１ａを若干超えて延びる。これら２個のシェルが、エネルギー源と残された離脱基（leaving groups (LG)）により送信された信号を処理する電子回路（図示せず）のハウジングを構成する。この電子回路は、ブドウ糖を投薬するために用いられる回路を応用したもので、例えば特許文献６に開示されたアンペア・メータである。従来メータと本発明の電子回路との相違点は、トロンビン（thrombin）あるいは他のタンパク分解酵素による離脱基ＬＧの解放を表す電気信号の設定だけである。
【００２８】
測定装置２０は、測定システム内のセンサー１０ａ、１０ｂ、１０ｃと同数の接続スロット２４ａ、２４ｂ、２４ｃを有する。これらの接続スロットは、ケース２１を形成する底部シェル２１ｂと上部シェル２１ａ内とその間に形成される。ここに示した実施例においては、上部シェル２１ａはノッチを有し、底部シェル２１ｂは中空の溝を有し、取り外し可能なセンサーを挿入したり、使用後取り除いたりできる。
【００２９】
図に示した実施例によれば、測定装置２０は、キャップ２３を有する。このキャップ２３は、折り返されて、装置内に導入されたセンサー１０ａ、１０ｂ、１０ｃを切り離し、測定領域を一定温度（例えば３７℃）に維持するサーモスタッド（図示せず）を有する。以下の説明から分かるように、温度はトロンビンの生成に非常に大きな影響を有する。別の構成として、プローブ（図示せず）を具備し、周囲温度を測定し、測定装置、あるいは電子装置のメモリ内に記憶された構成カーブ群から、様々な温度の関数として特定の校正カーブを選択し、サーモスタッドの付いた部屋を省くことも可能である。
【００３０】
接続スロット２４ａ、２４ｂ、２４ｃは、隆起部分１９ａ、１９ｂ、１９ｃを収納するノッチ２９ａ、２９ｂ、２９ｃ（図示せず）を有する。これにより、センサーの逆転挿入を回避し、スクリーンに表示されるカーブあるいはデータを特定できる。
【００３１】
図１Ａに示すマーキングを用いて、所定のセンサーの「認識」は、測定装置２０による電子手段により実行され、その結果、どの接続スロットもいかなるセンサーを収納可能である。この種のマーキングは、電気化学センサー群１０が有する様々なセンサーの数も増加させることができる。例えば、０個から３個の突起部分１９ｄで、３本の異なる位置を占めることができ、８個のセンサーを区別できる。
【００３２】
測定装置２０は、第２のディスプレイ２５を有する。この第２のディスプレイ２５は、適正な操作をチェックするのスクリーンとして機能する。例えば、制御ボタン２７が押されたか否かによって、ＯＮまたはＯＦＦを表示し、あるいは測定データの可視端部を具備して、センサーを安全に取り除いたりできるようにする。この第２ディスプレイもまた、相補的データにより、測定された値の全部（例えばＰＴあるいはＡＰＴＴ）を表示する。
【００３３】
ここに記載した測定装置２０は、３個の接続スロット２４ａ、２４ｂ、２４ｃを有するが、同時に測定する数を増やすために、より多数の接続スロットを有することもできる。
【００３４】
測定装置２０は、コード３１を介して、表示スクリーン３２を有する電子装置３０に接続される。ここに示した実施例においては、電子装置は、持ち運び可能なコンピュータであり、その中に測定装置２０から受信した信号を処理するソフトウェアがインストールされており、表示スクリーン３２上で実行されている測定に関するカーブあるいはデータを表示する。コンピュータによりカーブを解析するために、実務家にとって有益なデータを記憶させることができる、あるいは実務家に患者の病状を追跡させ、コンピュータにより通常のタスクを実行可能にする。
【００３５】
図１の実施例においては、測定装置２０と電子装置３０は、別々の構成要素として示されているが、それらを１個の操作ユニットに結合することも可能である。さらに、電気化学センサー群１０を収納するハウジングを有するブリーフケースの形態で組立体を構成することも可能である。
【００３６】
図２は、作動電極１４ａと基準電極１５ａとの間に電流を生成させる反応を表す図である。作動電極１４ａと基準電極１５ａとは、電子検出回路を介して接続される。基質（substrate）は、化学式Ｒ１−ＡＡ２−ＡＡ１−Ａｒｇ−ＬＧで表される。ここで、ＡＡ１とＡＡ２は、アミノ酸を表す。これらは、特許文献３、４に開示されている。他のペプチド（peptides）も使用できる。Ｒ１基は、作動電極１４ａと接続する基を表し、オリゴペプチド（oligopeptide）を方向付ける。ＬＧは、離脱基（leaving groups ）を表し、例えば特許文献４に記載された基の１つである。図の左側部分においては、トロンビン酵素（thrombin enzyme）が、選択的に、アルギニン（arginine）と離脱基（ＬＧ ）との間の接続を切断する。図の右側部分においては、解放された離脱基（ＬＧ ）は、基準電極１５ａの方向に移動して、解放された離脱基（ＬＧ ）の数に、即ち、単位時間当たりの媒体中に形成されたトロンビンの量に比例した電流を生成する。言い換えると、あるタンパク分解酵素の活動の決定は、時間−電流測定に依存して、図３−６のグラフに示す、秒で表された時間にわたってμＡ／ｃｍ２の強度の変化を表すカーブを描く時間−電流測定値に依存する。この時間−電流測定値は、適宜の校正アルゴリズムの手段により、測定結果を、例えばＥＴＰ（endogenous thrombin potential）値で示す。
【００３７】
全体的決定（ＰＴまたはＡＰＰＴ）に関する方法においては、得られた値は、反応開始後例えば約１５秒で測定された屈曲点の値であり、この値は、全トロンビンの約１０％を表すだけである。本発明のテストでは、反応時間はかなり長く、最大４５分にも達し、好ましくは２分から３０分の間で、より好ましくは３分から１０分の間である。これは、トロンビンを生成する「運動力学」に関心を持つ実務家にとって、重要なパラメータを考慮に入れたものである。これに関しては図３を参照して詳述する。
【００３８】
図３は、第ＩＩ因子の欠損を示すグラフである。すなわち、プラズマ（血漿）中のプロトロンビン（prothrombin）を示すグラフである。これは、作業電極表面が０．０５４ｃｍ２のセンサーで、オリゴペプチドTOS-Gly-Pro-Arg-3chloro-4-hydroxyanilide, 2HCLを基質として用いて測定されたものである。
【００３９】
基質の種類および作業電極の表面に関し、他の選択も可能である。
【００４０】
この記録は、公称プラズマ（血漿）で、２３．５℃の一定温度での基準カーブＲ１で、カーブＦＩＩを測定した。各場合において、堆積されたサンプルの量、すなわち基準溶液は、１０μｌである。測定は、１０分間にわたって実行された。
【００４１】
図３は、公称プラズマ（血漿）で、２４．５℃の温度での第２基準カーブＲ２を示す。これは、わずか１℃の差により基準カーブの大幅な変化を引き起こす。かくしてパラメータ内には特に以下のものが考慮された。
ＰＨ（ピーク高さ（peak high））：  最大信号値
ＴＴＰ（ピークまでの時間（time to peak））：  ピークに至るまでの時間
ＬＴ（ラグ・タイム（lag time））：  反応時間
ＥＴＰ（endogenous thrombin potential：内因性トロンビン電位）またはＡＵＣ（area under curve：カーブ下側面積）
【００４２】
基準値に対するこれらのパラメータの内の１つのパラメータにおけるズレが、実務者により解析され、凝固現象の異常性を検出できる。
【００４３】
かくして、同一条件、同一温度の下で測定が行われ、カーブＲ１とＦＩＩが比較され、る。ＦＩＩに対しては、ＰＨの値は大幅に減り、ＴＴＰの値がかなり増加する。これは、プロトロンビンの欠損あるいはトリガー因子として解釈される。
【００４４】
図４は、異なるスケールで、第Ｖ因子のライデン欠損（factor V Leiden deficiency）のプラズマ（血漿）サンプルの測定結果を表す。図４から分かるように、ＰＨの値は、基準ＰＨ値よりも遙かに大きい。若干大きなＰＨ値に達するために、基準値（カーブＲ１）よりも大きなＴＴＰ値が観測される。これは、第Ｖ因子の活動の減少を意味する。
【００４５】
図５は、図３と同一スケールであるが、第ＶＩＩ因子の欠損、すなわちプロコンバベルチン（proconvertin）を表すグラフである。これが存在することにより、プロトロンビンがトロンビンへ変換するのを加速させる。若干大きなＰＨ値に達するために、基準値よりも大きなＴＴＰ値（カーブＲ１）が観測される。これは、第ＶＩＩ因子の活動の減少を意味する。
【００４６】
図６は、図４と同一スケールであるが、凝固現象におけるタンパク質Ｓの欠損を示す。同図から分かるように、ＴＴＰ値は、基準値（カーブＲ２）に比較すると、ほとんど変わっておらず、対応するＰＨ値は大幅な増加を表し、これは、タンパク質Ｓの欠損として解釈される。
【００４７】
他の適宜の特定試薬を用いて、どの他の因子が凝固現象の異常に対し、説明がつくか、例えば第ＶＩＩ因子あるいは第ＩＸ因子を決定し、血友病（haemophilia）、タンパクＣ、抗トロンビン（antithrombin）ＩＩＩ、ループス性抗凝固因子（lupus anticoagulants）への傾向に対応する欠損を示すかを決定できる。
【００４８】
本発明のシステムは、適宜の基質を選択することにより他の体液にも適用可能である。
【００４９】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５０】
【図１】本発明の測定システムの斜視図。
【図１Ａ】本発明のセンサーの変形例を示す斜視図。
【図２】本発明の装置により生成された信号と電気装置のソフトウェアにより処理されるプロセスを表す図。
【図３】因子ＩＩの欠損を表すカーブを示すグラフ。
【図４】因子Ｖ、ライデン（Leiden）の異常活性を表すカーブを示すグラフ。
【図５】因子ＶＩＩ欠損を表すカーブを示すグラフ。
【図６】蛋白Ｓの欠損を表すカーブを示すグラフ。
【符号の説明】
【００５１】
１０  電気化学センサー群
１０ａ、１０ｂ、１０ｃ  センサー
１１  プラスチック製支持部材
１２  絶縁性コーティング
１３  狭スペース
１４，１５  集電器
１４ａ  作動電極
１５ａ  基準電極
１６  ，１７  開口
１６  第１開口
１７  第２開口
１８  透明キャップ
１９ａ、１９ｂ、１９ｃ  隆起部分
１９ｄ  突起部分
２０  測定装置
２１  ケース
２１ａ、２１ｂ  シェル
２１ａ  底部シェル
２１ｂ  上部シェル
２３  キャップ
２４ａ，２４ｂ，２４ｃ  接続スロット
２９  ノッチ
３０  電子装置
３１  コード
３２  表示スクリーン
３４  特定試薬
【図１】
0005122094.tif 000002
【図１Ａ】
0005122094.tif 000003
【図２】
0005122094.tif 000004
【図３】
0005122094.tif 000005
【図４】
0005122094.tif 000006
【図５】
0005122094.tif 000007
【図６】
0005122094.tif 000008